(57)【要約】      （修正有）【課題】アクセサリ部品の回転を規制し、アクセサリ部品のデザイン性を重視して衣類の表側又は装身具に配置できるアクセサリ類取付装置を提供する。【解決手段】雄側取付具Ｂの突起２４は、繊維ニット生地Ｚａと共に弾性バネ手段１の正三角を構成する各線材辺５Ａ、５Ｂ、５Ｃ内に挿入される。弾性バネ手段１は、突起及び繊維ニット生地Ｚａの挿入に伴って、各線材辺５Ａ、５Ｂ、５Ｃの弾性力で各線材辺５Ａ、５Ｂ、５Ｃ及び繊維ニット生地Ｚａを正六角形溝を構成する溝辺底２２ｂ、２２ｄ、２２ｆに付勢して当接され、アクセサリ部品Ｃの雄側取付具Ｂに対する回転が規制され、繊維ニット生地Ｚａを各線材辺５Ａ、５Ｂ、５Ｃ及び各溝辺底２２ｂ、２２ｄ、２２ｆ間に挟み込む。弾性バネ手段１は、バネ規制手段３の各バネ規制穴７、８，９で雌側取付具Ａに対する回転が規制される。【選択図】図１２
0003173961.tif 000002
【実用新案登録請求の範囲】
【請求項１】
繊維生地で形成され、身につけられる衣類において、
前記衣類の前記繊維生地の表側又は裏側の一方側に配置される雌側取付具と、前記雌側取付具に対峙され、前記繊維生地の表側又は裏側の他方側に配置される雄側取付具と、前記繊維生地の表側にある前記雌側取付具又は前記雄側取付具に固定されるアクセサリ部品を備え、
前記衣類の表側及び裏側から前記雌側取付具及び前記雄側取付具で前記繊維生地を挟み込んで、前記アクセサリ部品を前記衣類の表側に配置するアクセサリ類取付装置であって、
（Ａ）前記雌側取付具は、
弾性線材で多角形に形成され、前記多角形の線材辺を複数有する弾性バネ手段と、
挿入穴を有し、前記弾性バネ手段の前記各線材辺を前記挿入穴の中心線周りに位置して、前記各線材辺の一部を前記挿入穴内側に配置する雌側本体と、
前記弾性バネ手段の前記各線材辺の広がり弾性変形を許容しつつ、前記挿入穴の前記中心線周りでの前記弾性バネ手段の回転を規制するバネ規制手段を含んで構成され、
（Ｂ）前記雄側取付具は、
突起を有する雄側本体と、
前記突起外周に開口形成され、前記弾性バネ手段を取外自在に装着するストッパ溝手段を含んで構成され、
（Ｃ）前記ストッパ溝手段は、
前記繊維生地を通して前記弾性バネ手段の前記各線材辺に当接する溝辺底を複数有し、前記各溝辺底で多角形溝に形成され、
（Ｄ）前記突起は、
前記繊維生地の表側又は裏側から前記雌側取付具側に押付けられて、前記繊維生地と共に前記挿入穴から前記弾性バネ手段の前記各線材辺内に挿入され、
（Ｅ）前記弾性バネ手段は、
前記突起及び前記繊維生地の挿入に伴って、前記各線材を広がり弾性変形しつつ前記ストッパ溝手段内に装着されると共に、
前記スリット溝手段内の装着に伴って、前記各線材辺及び前記繊維生地を弾性力で前記各溝辺底に付勢して当接させて、前記各線材辺及び前記溝辺底間に前記繊維生地を挟み込む
ことを特徴とするアクセサリ類取付装置。
【請求項２】
（Ｆ）前記ストッパ溝手段は、
前記突起の軸心線を溝中心として、前記突起外周に開口形成され、
（Ｇ）前記突起は、
前記ストッパ溝手段の多角形溝に対し、縮小して相似する多角形端面と、前記多角形端面の各辺に夫々連続する複数の案内傾斜端面を有すると共に、
前記多角形端面側及び前記各案内傾斜端面側から前記繊維生地の表側又は裏側に押付けられて、前記繊維生地と共に前記挿入穴から前記弾性バネ手段の前記各線材辺内に挿入され、
（Ｈ）前記多角形端面は、
前記突起の前記軸心線を面中心として配置され、
前記各辺及び前記各溝辺底の平行する位置から、前記ストッパ溝手段に対して前記突起の前記軸心線周りの一方側に所定角度ずらして構成され、
（Ｉ）前記各案内傾斜端面は、
前記突起の前記軸心周りの一方側に前記多角形端面と同角度傾斜されて、前記多角形端面の前記各辺から前記ストッパ溝手段の前記各溝辺底に向けて延設されると共に、
前記突起及び前記繊維生地の挿入に伴って、前記繊維生地を通して前記弾性バネ手段の前記各線材辺に当接される
ことを特徴とする請求項１に記載のアクセサリ類取付装置。
【請求項３】
（Ｊ）前記弾性バネ手段は、
前記線材辺数：ＰＳ＝３×ｎ（ｎ＝１，２，３，４）の正多角形に形成され、
（Ｋ）前記ストッパ溝手段は、
前記突起の軸心線を溝中心として、前記突起外周に開口形成され、
前記溝辺底数：ＧＳ＝ＰＳ×２の正多角形溝に形成される
ことを特徴とする請求項１又は２に記載のアクセサリ類取付装置。
【請求項４】
ブレスレット、ネックレス等を含む装身具において、
雌側取付具、雄側取付具、及びアクセサリ部品を備え、
前記雌側取付具又は前記雄側取付具の一方を前記装身具に設け、前記雌側取付具又は前記雄側取付具の他方に前記アクセサリ類を固定し、前記雌側取付具及び前記雄側取付具で前記アクセサリ部品を前記装身具に配置するアクセサリ類取付装置であって、
（ａ）前記雌側取付具は、
弾性線材で多角形に形成され、前記多角形の線材辺を複数有する弾性バネ手段と、
挿入穴を有し、前記弾性バネ手段の前記各線材辺を前記挿入穴の中心線周りに位置して、前記各線材辺の一部を前記挿入穴内側に配置する雌側本体と、
前記弾性バネ手段の前記各線材辺の広がり弾性変形を許容しつつ、前記挿入穴の前記中心線周りでの前記弾性バネ手段の回転を規定するバネ規制手段を含んで構成され、
（ｂ）前記雄側取付具は、
突起を有する雄側本体と、
前記突起外周に開口形成され、前記弾性バネ手段を取外自在に装着するストッパ溝手段を含んで構成され、
（ｃ）前記ストッパ溝手段は、
前記弾性バネ手段の前記各線材辺に当接する溝辺底を複数有し、前記各溝辺底で多角形溝に形成され、
（ｄ）前記突起は、
前記挿入穴から前記弾性バネ手段の前記各線材辺内に挿入され、
（ｅ）前記弾性バネ手段は、
前記突起の挿入に伴って、前記各線材辺を広がり弾性変形しつつ前記ストッパ溝手段内に装着されると共に、
前記ストッパ溝手段内の装着に伴って、前記各線材辺を弾性力で前記各溝辺底に付勢して当接させる
ことを特徴とするアクセサリ類取付装置。
【考案の詳細な説明】
【技術分野】
【０００１】
本考案は、アクセサリ部品を衣類の表側又はブレスレット、ネックレス等を含む装身具に配置するアクセサリ類取付装置に関する。
【背景技術】
【０００２】
近年、アクセサリ部品を衣類（靴下類、レギンス、スパッツ、パンツ、ニット等）の繊維生地の表側に配置することで、衣類の装飾性、デザイン性を高めることが提案されている。
【０００３】
アクセサリ部品を衣類に配置する技術として、特許文献１に開示する技術は、嵌入体（雄側取付具）及び被嵌入体（雌側取付具）で布帛地を挟み込んで、装飾体を布帛地の表側に配置する。
【０００４】
特許文献１に開示する技術では、被嵌入体の周壁部を嵌入体の溝内に装着して布帛布を挟み込むので、布帛地に嵌入体及び被嵌入体を取付けた後、嵌入体又は被嵌入体は相対的に３６０°回転自在となる。従って、特許文献１に開示する技術では、布帛地の表側にある嵌入体又は被嵌入体の装飾体も、３６０°回転自在となり、装飾体のデザイン性を重視しつつ、装飾体を布帛地の表側に配置できない。
また、特許文献１に開示する技術において、ブレスレット等の装身具に被嵌入体を設け、この被嵌入体内に嵌入体を挿入することで、装飾体を装身具に配置することも考えられる。しかしながら、装飾体を装身具に配置する場合でも、嵌入体及び被嵌入体は相対的に３６０°回転自在となり、装飾体のデザイン性を重視しつつ、装飾体を装身具に配置できない。
【先行技術文献】
【特許文献】
【０００５】
【特許文献１】特開２００１−２９９４１３号公報
【考案の概要】
【考案が解決しようとする課題】
【０００６】
本考案は、アクセサリ部品の回転を規制し、アクセサリ部品のデザイン性を重視して衣類の表側又は装身具に配置できるアクセサリ類取付装置を提供することにある。
【課題を解決するための手段】
【０００７】
請求項１に係る考案は、繊維生地で形成され、身につける衣類において、前記衣類の前記繊維生地の表側又は裏側の一方側に配置される雌側取付具と、前記雌側取付具に対峙され、前記繊維生地の表側又は裏側の他方側に配置される雄側取付具と、前記繊維生地の表側にある前記雌側取付具又は前記雄側取付具に固定されるアクセサリ部品を備え、前記衣類の表側及び裏側から前記雌側取付具及び前記雄側取付具で前記繊維生地を挟み込んで、前記アクセサリ部品を前記衣類の表側に配置されるアクセサリ類取付装置において、（Ａ）前記雌側取付具は、弾性線材で多角形に形成され、前記多角形の複数の線材辺を有する弾性バネ手段と、挿入穴を有し、前記弾性バネ手段の前記各線材辺を前記挿入穴の中心線周りに位置して、前記各線材辺を前記挿入穴内に配置する雌側本体と、前記弾性バネ手段の前記各線材辺の広がり弾性変形を許容しつつ、前記挿入穴の前記中心線周りでの前記弾性バネ手段の回転を規制するバネ規制手段を含んで構成され、（Ｂ）前記雄側取付具は、突起を有する雄側本体と、前記突起外周に開口形成され、前記弾性バネ手段を取外自在に装着するストッパ溝手段を含んで構成され、（Ｃ）前記ストッパ溝手段は、前記繊維生地を通して前記弾性バネ手段の前記各線材辺に当接する溝辺底を複数有し、前記各溝辺底で多角形溝に形成され、（Ｄ）前記突起は、前記繊維生地の表側又は裏側から前記雌側取付具側に押付けられて、前記繊維生地と共に前記挿入穴から前記弾性バネ手段の前記各線材辺内に挿入され、（Ｅ）前記弾性バネ手段は、前記突起及び前記繊維生地の挿入に伴って、前記各線材を広がり弾性変形しつつ前記ストッパ溝手段内に装着されると共に、前記ストッパ溝手段内の装着に伴って、前記各線材辺及び前記繊維生地を弾性力で前記各溝辺底に付勢して当接させて、前記各線材辺及び前記溝辺底間に前記繊維生地を挟み込むことを特徴とするアクセサリ類取付装置に関する。
【０００８】
請求項２に係る考案は、（Ｆ）前記ストッパ溝手段は、前記突起の軸心線を溝中心として、前記突起外周に開口形成され、（Ｇ）前記突起は、前記ストッパ溝手段の多角形溝に対し、縮小相似する多角形端面と、前記多角形端面の各辺に夫々連続する複数の案内傾斜端面を有すると共に、前記多角形端面側及び前記各案内傾斜端面側から前記繊維生地の表側又は裏側に押付けられて、前記繊維生地と共に前記挿入穴から前記弾性バネ手段の前記各線材辺内に挿入され、（Ｈ）前記多角形端面は、前記突起の前記軸心線を面中心として配置され、前記各辺及び前記各溝辺底の平行する位置から、前ストッパ溝手段に対して前記突起の前記軸心線周りの一方側に所定角度ずらして構成され、（Ｉ）前記各案内傾斜端面は、前記突起の前記軸心線の一方側に前記多角形端面と同角度傾斜されて、前記多角形端面の前記各辺から前記ストッパ溝手段の前記各溝辺底に向けて延設されると共に、前記突起及び前記繊維生地の挿入に伴って、前記繊維生地を通して前記弾性バネ手段の前記各辺に当接されることを特徴とする請求項１に記載のアクセサリ類取付装置に関する。
【０００９】
請求項３に係る考案は、（Ｊ）前記弾性バネ手段は、前記線材辺数：ＰＳ＝３×ｎ（ｎ＝１，２，３，４）の正多角形に形成され、（Ｋ）前記ストッパ溝手段は、前記突起の前記軸心線を溝中心として、前記突起外周に開口形成され、前記溝辺底数：ＧＳ＝ＰＳ×２の正多角形溝に形成されることを特徴とする請求項１又は２に記載のアクセサリ類取付装置に関する。
【００１０】
請求項４に係る考案は、ブレスレット、ネックレス等を含む装身具において、雌側取付具、雄側取付具及びアクセサリ部品を備え、前記雌側取付具又は前記雄側取付具の一方を前記装身具に設け、前記雌側取付具又は前記雄側取付具の他方に前記アクセサリ部品を固定し、前記雌側取付具及び前記雄側取付具で前記アクセサリ部品を前記装身具に配置するアクセサリ類取付具であって、（ａ）前記雌側取付具は、弾性線材で多角形に形成され、前記多角形の線材辺を複数有する弾性バネ手段と、挿入穴を有し、前記弾性バネ手段の前記各線材辺を前記挿入穴の中心線周りに位置して、前記各線材辺の一部を前記挿入穴内側に配置する雌側本体と、前記弾性バネ手段の前記各線材辺の広がり弾性変形を許容しつつ、前記挿入穴の前記中心線周りでの前記弾性バネ手段の回転を規制するバネ規制手段を含んで構成され、（ｂ）前記雄側取付具は、突起を有する雄側本体と、前記突起外周に開口形成され、前記弾性バネ手段を取外自在に装着するストッパ溝手段を含んで構成され、（ｃ）前記ストッパ溝手段は、前記弾性バネ手段の前記各線材辺に当接する溝辺底を複数有し、前記各溝辺底で多角形溝に形成され、（ｄ）前記突起は、前記挿入穴から前記弾性バネ手段の前記各線材辺内に挿入され、（ｅ）前記弾性バネ手段は、前記突起の挿入に伴って、前記各線材辺を広がり弾性変形しつつ前記ストッパ溝手段内に装着されると共に、前記ストッパ溝手段内の疎着に伴って、前記各線材辺を弾性力で前記各溝辺底に付勢して当接させることを特徴とするアクセサリ類取付装置に関する。
【考案の効果】
【００１１】
請求項１に係る考案によれば、雄側本体の突起は、衣類の繊維生地と共に雌側本体の挿入穴から弾性バネ手段の各線材辺内に挿入され、弾性バネ手段の各線材辺は、突起及び繊維生地の挿入に伴って、広がり弾性変形しつつ、突起のストッパ溝手段内に装着される。雌側本体の弾性バネ手段の各線材辺は、ストッパ溝手段内への装着に伴って、弾性力を持って繊維生地をストッパ溝手段の各溝辺底に付勢する。
これにより、雌側取付具及び雄側取付具は、弾性バネ手段の各線材辺及びストッパ溝手段の各溝辺底間に繊維生地を挟み込んで、アクセサリ部品を下肢衣類の伸縮性生地の表側に配置できる。
請求項１に係る考案によれば、アクセサリ部品は、衣類の繊維生地の表側にある雌側取付具又は雄側取付具に固定されるので、雌側取付具又は雄側取付具に対して相対的に回転しない。バネ規制手段は挿入穴の中心線周りの弾性バネ手段の回転を規制するので、弾性バネ手段及び雌側本体は相対的な回転が規制される。
雄側取付具及び雌側取付具で繊維生地を挟み込んだ後、弾性バネ手段の多角形を構成する各線材辺は、繊維生地を通して、ストッパ溝手段の多角形溝を構成する各溝辺底に当接されるので、弾性バネ手段及び雄側本体は相対的に回転しない。
これにより、アクセサリ部品を衣類の繊維生地の表側に配置した後、アクセサリ部品を衣類の表側に３６０°回転することなく、最小限の回転に規制して保持できるので、アクセサリ部品の回転方向の位置［突起の軸心線周りの位置］を一定範囲に固定できる。これにより、アクセサリ部品の形状、模様等のデザインに適応して、アクセサリ部品を衣類の表側に配置でき、デザイン性を重視できる。
【００１２】
請求項２に係る考案によれば、突起の各案内傾斜端面は、弾性バネ手段の各線材辺に当接されると、弾性バネ手段を挿入穴の中心軸周りの一方側に回転する。
これにより、雄側本体の突起は、弾性バネ手段の各線材辺内に対して捻じ込まれるように挿入でき、スムーズ・容易に挿入できる。
【００１３】
請求項３に係る考案によれば、弾性バネ手段は、線材辺数：ＰＳ＝３×ｎ（ｎ＝１，２，３，４）の正多角形に形成され、ストッパ溝手段は、溝辺底数：ＧＳ＝ＰＳ×２の正多角形に形成されるので、弾性バネ手段の各線材辺をストッパ溝手段内に挿入しても、各線材辺を溝辺底に対して確実に当接でき、弾性バネ手段及び雄側本体の相対的な回転を確実に規制できる。
【００１４】
請求項４に係る考案によれば、雄側本体の突起は、雌側本体の挿入穴から弾性バネ手段の各線材辺内に挿入され、弾性バネ手段の各線材辺は、突起の挿入に伴って、広がり弾性変形しつつ、突起のストッパ溝手段内に装着される。雌側本体の弾性バネ手段の各線材辺は、ストッパ溝手段内への装着に伴って、弾性力を持ってストッパ溝手段の各溝辺底に付勢、当接される。これにより、雌側取付具及び雄側取付具は、アクセサリ部品を装身具に配置できる。
請求項１に係る考案によれば、アクセサリ部品は、雌側取付具又は雄側取付具に固定されるので、雌側取付具又は雄側取付具に対して相対的に回転しない。バネ規制手段は挿入穴の中心線周りの弾性バネ手段の回転を規制するので、弾性バネ手段及び雌側本体は相対的な回転が規制される。
雄側取付具のストッパ溝手段内に雌側取付具の弾性バネ手段を装着した後、弾性バネ手段の多角形を構成する各線材辺は、ストッパ溝手段の多角形溝を構成する各溝辺底に当接されるので、弾性バネ手段及び雄側本体は相対的に回転しない。
これにより、アクセサリ部品を装身具に配置した後、アクセサリ部品を装身具に３６０°回転することなく、最小限の回転に規制して保持できるので、アクセサリ部品の回転方向の位置［突起の軸心線周りの位置］を一定範囲に固定できる。これにより、アクセサリ部品の形状、模様等のデザインに適応して、アクセサリ部品を装身具に配置でき、デザイン性を重視できる。
【図面の簡単な説明】
【００１５】
【図１】第１実施形態のアクセリ類取付装置を構成する雌側取付具、雄側取付具、及びアクセサリ部品を示す図である。
【図２】第１実施形態のアクセサリ類取付装置における雌側取付具を示す図であって、（ａ）は正面図、（ｂ）は側面図である。
【図３】第１実施形態のアクセサリ取付装置における雌側取付具を示す断面図であって、（ａ）は図２（ａ）のＡ−Ａ一部断面図、（ｂ）は図２（ｂ）のＢ−Ｂ一部断面図である。
【図４】第１及び第２実施形態のアクセサリ取付装置における雄側取付具を示す図であって、（ａ）は正面図、（ｂ）は正面拡大図である。
【図５】第１及び第２実施形態のアクセサリ取付装置における雄側取付具を示す図であって、（ａ）は側面図、（ｂ）は底面図である。
【図６】第１及び第２実施形態のアクセサリ取付装置における雄側取付具を示す断面図であって、図５（ａ）のＣ−Ｃ一部断面図である。
【図７】第１及び第２実施形態のアクセサリ類取付装置におけるアクセサリ部品を示す図であって、（ａ）は正面図、（ｂ）は側面図である。
【図８】第１及び第２実施形態のアクセサリ取付装置におけるアクセサリ部品を示す図であって、（ａ）底面図、（ｂ）は図７（ａ）のＤ−Ｄ断面図である。
【図９】第１及び第２実施形態のアクセサリ取付装置における雄側取付具にアクセサリ部品を取付けた一部断面側面図である。
【図１０】第１実施形態のアクセサリ取付装置において、雌側取付具を繊維ニット生地の裏側に配置し、雄側取付具を繊維ニット生地の裏側に配置した図であって、（ａ）は一部断面側面図、（ｂ）は図１０（ａ）のＥ−Ｅ矢視図である。
【図１１】第１実施形態のアクセサリ取付装置において、雄側取付具と弾性バネ手段の関係を示す図であって、（ａ）は突起の各案内傾斜端面及び弾性バネ手段の各線材辺の当接状態を示す図、（ｂ）は弾性バネ手段の各線材辺の広がり弾性変形を示す図である。
【図１２】第１実施形態のアクセサリ取付装置において、弾性バネ手段を雄側取付具のストッパ溝手段内に装着した状態の図であって、（ａ）は一部断面側面図、（ｂ）は図１２（ａ）のＦ−Ｆ矢視図である。
【図１３】第１実施形態のアクセサリ類取付装置において、雄側取付具をストッパ溝手段内に装着した状態の図であって、図１２（ａ）のＧ−Ｇ一部断面図である。
【図１４】第１実施形態のアクセサリ取付装置において、雌側取付具を繊維ニット生地の表側に配置し、雄側取付具を繊維ニット生地の裏側に配置した図であって、（ａ）は雄側取付具の挿入前を示す一部断面側面図、（ｂ）は弾性バネ手段を雄側取付具のストッパ溝手段内の装着した状態を示す一部断面側面図である。
【図１５】第１実施形態のアクセサリ取付装置において、下肢、下肢衣類及びアクセサリ類取付装置の関係を示す斜視図である。
【図１６】第２実施形態のアクセサリ類取付装置を示す図であって、（ａ）は雌側取付具、雄側取付具及びアクセサリ部品を示す図、（ｂ）は装身具及びアクセサリ取付装置の関係を示す斜視図である。
【図１７】第２実施形態のアクセサリ類取付装置における雌側取付具を示す図であって、（ａ）は正面図、（ｂ）は側面図である。
【図１８】第２実施形態のアクセサリ取付装置における雌側取付具を示す断面図であって、（ａ）は図１７（ａ）のＨ−Ｈ一部断面図、（ｂ）は図１７（ｂ）のＩ−Ｉ一部断面図である。
【図１９】第２実施形態のアクセサリ取付装置において、（ａ）は雌側取付具及び雌側取付具を対峙させる図面、（ｂ）は図１９（ａ）のＪ−Ｊ一部断面図である。
【図２０】第２実施形態のアクセサリ取付装置において、雄側取付具と弾性バネ手段の関係を示す図である。
【図２１】第２実施形態のアクセサリ取付装置において、弾性バネ手段を雄側取付具のストッパ溝手段内に装着した状態の図であって、（ａ）は一部断面側面図、（ｂ）は図２１（ａ）のＫ−Ｋ矢視図である。
【図２２】第２実施形態のアクセサリ類取付装置において、雄側取付具をストッパ溝手段内に装着した状態の図であって、図２１（ａ）のＬ−Ｌ一部断面図である。
【図２３】第２実施形態のアクセサリ取付装置において、装身具であるブレスレット及びアクセサリ類取付装置の関係を示す斜視図である。
【考案を実施するための形態】
【００１６】
本考案に係るアクセサリ類取付装置について、図１乃至図２２を参照して説明する。
なお、本考案に係るアクセサリ類取付装置としては、第１実施形態のアクセサリ類取付装置、及び第２実施形態のアクセサリ類取付装置を説明する。
【００１７】
＜第１実施形態＞
以下、第１実施形態のアクセサリ類取付装置について、図１乃至図１５を参照して説明する。
【００１８】
図１及び図１５において、第１実施形態のアクセサリ類取付装置［Ｘ１：以下、「アクセサリ類取付装置（Ｘ１）」と称する］は、人の身につける衣類（Ｚ）に取付けられ、アクセサリ部品（Ｃ）を衣類（Ｚ）の表側に配置する。
衣類（Ｚ）は、下肢を被覆する下肢衣類、又はブラウス、スボン（パンツ）、シャツ（Ｔシャツ）、スカート、ワンピース、ドレス、スカーフ、ネクタイ、エプロン、白衣、着物用帯等の被服全般を意味する。衣類（Ｚ）は、繊維糸を織り又は編んでなる繊維生地（Ｚａ：布帛生地、ニット生地等）で形成される。なお、衣類（Ｚ）には、犬、猫等の動物の身につける動物用衣類を含むことができる。
以下、衣類（Ｚ）の一例として、下肢（Ｙ）の下肢衣類（Ｚ）にアクセサリ部品（Ｃ）を配置する場合について説明する（図１５参照）。
【００１９】
＜下肢（Ｙ）＞
下肢（Ｙ）は、図１５に示すように、人体の脚を意味し、骨盤部（Ｙ１）、上腿部（Ｙ２：大腿部）、下腿部（Ｙ３）及び足部（Ｙ４）で構成される。
【００２０】
＜下肢衣類（Ｚ）＞
下肢衣類（Ｚ）は、図１５に示すように、下肢（Ｙ）に密着する伸縮性の繊維ニット生地（Ｚａ）で形成され、下肢（Ｙ）の全体又は一部を被覆する。
下肢（Ｙ）の全体を被覆する下肢衣類（Ｚ）としては、図１５に示すように、パンティストッキングやタイツ等である。下肢（Ｙ）の一部を被覆する下肢衣類（Ｚ）としては、足部（Ｙ４）及び下腿部（Ｙ３）を被覆するストッキングやソックス等の靴下類、又は骨盤部（Ｙ１）及び上下腿部（Ｙ２）、（Ｙ３）を被覆するレギンス、トレンカやスパッツ等である。
下肢衣類（Ｚ）の繊維ニット生地（Ｚａ）は、アクリル、ナイロン、綿、ポリエステル又はポリウレタン等の弾性繊維糸を含んで構成され、例えば、パンティストッキングの繊維ニット生地（Ｚａ）はポリウレタン糸及びナイロン糸を編んで構成（メリヤス編等）される。
【００２１】
＜アクセサリ類取付装置（Ｘ１）＞
図１乃至図９において、アクセサリ類取付装置（Ｘ１）は、雌側取付具（Ａ）、雄側取付具（Ｂ）及びアクセサリ部品（Ｃ）を備えている。
アクセサリ類取付装置（Ｘ）は、下肢衣類（Ｚ）の表側（Ｚ１）及び裏側（Ｚ２）から雌側取付具（Ａ）及び雄側取付具（Ｂ）で繊維ニット生地（Ｚａ）を挟み込んで、アクセサリ部品（Ｃ）を下肢衣類（Ｙ）の表側（Ｚ１）に配置する（図１５参照）。
【００２２】
＜雌側取付具（Ａ）＞
図２及び図３において、雌側取付具（Ａ）は、弾性バネ手段（１）、雌側本体（２）及びバネ規制手段（３）を含んで構成される。
【００２３】
弾性バネ手段（１）は、図２及び図３に示すように、弾性線材（５）で多角形に形成され、多角形を構成する線材辺（５Ａ）、（５Ｂ）、（５Ｃ）・・・を複数有する。弾性線材（５）は、バネ鋼線材や弾性樹脂線材等で構成される。
弾性バネ手段（１）は、例えば、複数の線材辺（５Ａ）、（５Ｂ）、（５Ｃ）で正三角形に形成され、各線材辺（５Ａ）、（５Ｂ）の一軸端は間隔（δ）を持って離間している（図３参照）。
【００２４】
雌側本体（２）は、図２及び図３に示すように、前後方向（Ｈ）に一定厚さ（ｈ）を有する円形板に形成されている。雌側本体（２）は、円形挿入穴（６）を有している。円形挿入穴（６）は、雌側本体（１）の前後方向（Ｈ）に延設され、雌側本体（２）内を貫通している。
雌側本体（２）は、図３に示すように、弾性バネ手段（１）を内部に収納し、各線材辺（５Ａ）〜（５Ｃ）を前後方向（Ｈ）の中央に配置する。
雌側本体（２）は、図２及び図３に示すように、各線材辺（５Ａ）〜（５Ｃ）の各角部（５ａ）〜（５ｃ）を夫々支持（三点支持）し、各線材辺（５Ａ）〜（５Ｃ）を円形挿入穴（６）の中心線（ａ）周りに位置する。円形挿入穴（６）の中心線（ａ）は、円形の穴中心であって、雌側本体（２）の前後方向（Ｈ）に延びている。
雌側本体（２）は、弾性バネ手段（１）の各線材辺（５Ａ）〜（５Ｃ）の一部を円形挿入穴（６）内側に配置する［図３（ａ）参照］。
なお、雌側本体（２）を合成樹脂等で構成される。
【００２５】
バネ規制手段（３）は、図３に示すように、弾性バネ手段（１）の各線材辺（５Ａ）〜（５Ｃ）の広がり弾性変形を許容しつつ、円形挿入穴（６）の中心線（ａ）周りでの弾性バネ手段（１）の回転を規制する。
バネ規制手段（３）は、複数のバネ規制穴（７）、（８）、（９）で構成され、各バネ規制穴（７）〜（９）は雌側本体（２）内に形成される。
各バネ規制穴（７）〜（９）は、図３（ｂ）に示すように、雌側本体（２）の前後方向（Ｈ）の中央に位置される。
バネ規制穴（７）は、図３（ａ）に示すように、円形挿入穴（６）の中心線（ａ）に直交する上下方向（Ｕ）に延設され、円形挿入穴（６）内に開口している。バネ規制穴（７）は、各線材辺（５Ａ）、（５Ｂ）の角部（５ａ）を収納し、雌側本体（２）で支持する。
各バネ規制穴（８）、（９）は、図３（ａ）に示すように、円形挿入穴（６）の中心線（ａ）及びバネ規制穴（７）に直交する左右方向（Ｒ）に連続して延設され、円形挿入穴（６）内に開口している。バネ規制穴（８）は、各線材辺（５Ｂ）、（５Ｃ）の角部（５ｂ）を収納し、雄側本体（２）で支持する。バネ規制穴（９）は、各線材辺（５Ｃ）、（５Ａ）の角部（５ｃ）を収納し、雌側本体（１）で支持する。
各バネ規制穴（７）〜（９）は、円形挿入穴（６）の中心線（ａ）周りに各線材辺（５Ａ）〜（５Ｃ）の各角部（５ａ）〜（５ｃ）より広い穴幅（ｔ）を有することで、弾性バネ手段（１）の各線材辺（５Ａ）〜（５Ｃ）の広がり弾性変形を許容し、更に、各バネ規制穴（７）〜（９）は、各線材辺（５Ａ）〜（５Ｃ）に当接することで、円形挿入穴（６）の中心線（ａ）周りでの弾性バネ手段（１）の回転を規制する。なお、「回転を規制する」とは、弾性バネ手段（１）が円形挿入穴（６）の中心線（ａ）周りに一定回転した後、弾性バネ手段（１）の同方向への回転を止めることである。
【００２６】
＜雄側取付具（Ｂ）＞
図４乃至図６において、雄側取付具（Ｂ）は、雄側本体（２１）及びストッパ溝手段（２２）を含んで構成される。
雄側本体（２１）は、図４及び図５に示すように、台座板（２３）、突起（２４）及び複数の取付爪（２５）、（２６）を備え、台座板（２３）は円形板に形成される。
突起（２４）は、台座板（２３）の一軸端面（２３ａ）から突出している。突起（２４）は、多角形外縁に形成され、例えば、複数の外縁辺で正六角形外縁（２４Ａ）に形成する。
各取付爪（２５）、（２６）は、図５に示すように、突起（２４）の軸心線（ｂ）に直交する上下方向（Ｕ）に間隔を隔てて配置され、台座板（２３）の他軸端面（２３ｂ）から突出している。各取付爪（２５）、（２６）は、上下方向（Ｕ）において、台座板（２３）外周側に突出する爪部（２７）を有している。
なお、雄側本体（２１）は、合成樹脂等で形成される。
【００２７】
ストッパ溝手段（２２）は、図４乃至図６に示すように、突起（２４）の軸心線（ｂ）を溝中心として、突起（２４）外周に開口形成される。
ストッパ溝手段（２２）は、弾性バネ手段（１）の各線材辺（５Ａ）〜（５Ｃ）を取外自在に装着する。
ストッパ溝手段（２２）は、突起（２４）の多角形外縁［正六角形外縁（２４Ａ）］に対して、縮小相似する多角形溝に形成され、繊維ニット生地（Ｚａ）を通して弾性バネ手段（１）の各線材辺（５Ａ）〜（５Ｃ）に当接する複数の溝辺底を有する。ストッパ溝手段（２２）は、例えば、複数の溝辺底（２２ａ）〜（２２ｆ）で正六角形溝に形成される。ストッパ溝手段（２２）において、各溝辺底（２２ａ）〜（２２ｆ）は、図４に示すように、突起（２４）の正六角形外縁（２４Ａ）の各外縁辺に対して平行配置されている。
ストッパ溝手段（２２）の多角形溝において、前後方向（Ｈ）の溝幅、及び上下方向（Ｕ）の溝深さは、繊維ニット生地（Ｚａ）と共に各線材辺（５Ａ）〜（５Ｃ）を装着できる寸法に設定する。
【００２８】
図４及び図５において、雄側本体（２１）の突起（２４）は、多角形端面（３１）、複数の案内傾斜端面（３２ａ）、（３２ｂ）・・・及び複数の連絡傾斜面（２４ａ）、（２４ｂ）・・・を有している。
【００２９】
多角形端面（３１）は、突起（２４）の軸心線（ｂ）を面中心として、突起（２４）の軸端に配置される。
多角形端面（３１）は、ストッパ溝手段（２２）の多角形溝（正六角形溝）に対して縮小相似し、例えば、複数の辺（３１ａ）〜（３１ｆ）で正六角形に形成される。
多角形端面（３１）は、図４（ｂ）に示すように、各辺（３１ａ）〜（３１ｆ）及びストッパ溝手段（２２）の各溝辺底（２２ａ）〜（２２ｆ）の平行する位置から、突起（２４）の軸心線（ｂ）周りの一方側（反時計周り側）に所定角度（θ１）ずらして構成されている。所定角度（θ１）は、例えば、２０°又は３０°である。
【００３０】
複数の案内傾斜端面（３２ａ）、（３２ｂ）・・・は、多角形端面（３１）の辺数と同数有し、弾性バネ手段（１）の各線材辺（５Ａ）〜（５Ｃ）に当接される。
各案内傾斜端面（３２ａ）〜（３２ｆ）は、図４に示すように、突起（２４）の軸端で、多角形端面（３１）及び突起（２４）の正六角形外縁（２４Ａ）間に配置される。
各案内傾斜面（３２ａ）〜（３２ｆ）は、多角形端面（３１）の各辺（３１ａ）〜（３１ｆ）に夫々連続している。
各案内傾斜面（３２ａ）〜（３２ｆ）は、図４（ｂ）に示すように、突起（２４）の軸心線（ｂ）周りの一方側に所定角度（θ２）傾斜されている。所定角度（θ２）は、多角形端面（３１）の所定角度（θ１）と同角度である。
各案内傾斜面（３２ａ）〜（３２ｆ）は、多角形端面（３１）の各辺（３１ａ）〜（３１ｆ）から突起（２４）の正六角形外縁（２４Ａ）を通して、ストッパ溝手段（２２）の各溝辺底（２２ａ）〜（２２ｆ）に向けて延設される。
【００３１】
複数の連絡傾斜面（２４ａ）、（２４ｂ）・・・は、突起（２４）の正六角形外縁（２４Ａ）を構成する外縁辺と同数有している。各連絡傾斜面（２４ａ）〜（２４ｆ）は、正六角形外縁（２４Ａ）及びストッパ溝手段（２２）間に配置され、突起（２４）外周に形成されている。
各連絡傾斜面（２４ａ）〜（２４ｆ）は、正六角形外縁（２４Ａ）の各外縁辺に連続し、図５及び図６に示すように、各溝辺底（２２ａ）〜（２２ｆ）に向けて形成され、各溝辺底（２２ａ）〜（２２ｆ）の夫々に至っている。
【００３２】
＜アクセサリ部品（Ｃ）＞
図７乃至図９において、アクセサリ部品（Ｃ）は、下肢衣類（Ｚ）の繊維ニット生地（Ｚａ）の表側（Ｚ１）にある雌側取付具（Ａ）又は雄側取付具（Ｂ）に固定され、例えば、接着リング板（４６）で雄側取付具（Ｂ）に固定される。
アクセサリ部品（Ｃ）は、図７及び図８に示すように、例えば、円形底面（４５ａ）を有するドーム形に形成され、内部空間（Ｐ）に連通する開口穴（４５ｂ）を備えている。開口穴（４５ｂ）は、円形底面（４５ａ）に開口している。
接着リング板（４６）は、両端面（４６ａ）、（４６ｂ）に開口するリング穴（４６ｃ）を有し、各端面（４６ａ）、（４６ｂ）は接着剤（図示しない）を塗布してなる。接着リング板（４６）は、一端面（４６ｂ）をアクセサリ部品（Ｃ）の円形底面（４５ａ）に対峙し、リング穴（４６ｃ）を開口穴（４５ｂ）に同心として配置される。接着リング板（４６）は、一端面（４６ｂ）の接着剤でアクセサリ部品（Ｃ）の円形底面（４５ａ）に接着固定される。
これにより、アクセサリ部品（Ｃ）は、接着リング板（４６）のリング穴（４６ｃ）及び開口穴（４５ｂ）を通して、雄側本体（２１）の各取付爪（２５）、（２６）をアクセサリ類（Ｃ）の内部空間（Ｐ）に挿入できる。
なお、アクセサリ部品（Ｃ）は、装飾部材（装飾部品）であって、植物、動物又は昆虫等の立体的又は平面的な装飾部品等で構成する。
【００３３】
図９において、アクセサリ部品（Ｃ）は、雄側取付具（Ｂ）の雄側本体（２１）に固定される。
雄側本体（２１）は、他軸端面（２３ｂ）及び各取付爪（２５）、（２６）を接着リング板（４６）のリング穴（４６ｃ）側に対峙し、リング穴（４６ｃ）及び開口穴（４５ｂ）を通して、各取付爪（２５）、（２６）を内部空間（Ｐ）内に挿入する。
アクセサリ部品（Ｃ）は、接着リング板（４６）に各取付爪（２５）、（２６）の爪部（２７）を止めることで、雄側本体（２１）に取付けられ、接着リング板（４６）の他端面（４６ａ）の接着剤で雄側本体（２１）の他軸端面（２３ｂ）に接着固定される。
【００３４】
次に、アクセサリ類取付装置（Ｘ１）の取付手順、及び取外手順について、図１０乃至図１３を参照して説明する。
【００３５】
＜取付手順＞
図１０において、雌側取付具（Ａ）は、下肢衣類（Ｚ：パンティストキング）内に挿入され、雌側本体（２）の円形挿入穴（６）を下肢衣類（Ｚ）の繊維ニット生地（Ｚａ）の裏側（Ｚ２）に向けて配置する。
雌側取付具（Ａ）は、アクセサリ部品（Ｃ）を配置する位置、例えば、図１５に示すように、下肢（Ｙ）の下腿部（Ｙ３）に位置する。
雌側取付具（Ａ）において、雌側本体（２）は、下肢衣類（Ｚ）の繊維ニット生地（Ｚａ）の裏側（Ｚ２）に接触される。
【００３６】
雄側取付具（Ｂ）は、図１０に示すように、雄側本体（２１）にアクセサリ部品（Ｃ）を固定している。雄側取付具（Ｂ）は、下肢衣類（Ｚ）の繊維ニット生地（Ｚａ）を通して、雌側取付具（Ａ）の円形挿入穴（６）に対峙され、多角形端面（３１）及び各案内傾斜端面（３２ａ）〜（３２ｆ）を繊維ニット生地（Ｚａ）の表側（Ｚ１）に向けて配置する。
雄側取付具（Ｂ）において、雄側本体（２１）は、下肢衣類（Ｚ）の繊維ニット生地（Ｚａ）の表側（Ｚ１）に対峙し、更に繊維ニット生地（Ｚａ）の表側（Ｚ１）に接触される［図１０（ａ）参照］。
このとき、雄側本体（２１）の突起（２４）は、軸心線（ｂ）を円形挿入穴（６）の中心線（ａ）に一致させる。
これにより、アクセサリ部品（Ｃ）は、図１０（ａ）に示すように、下肢衣類（Ｚ）の繊維ニット生地（Ｚａ）の表側（Ｚ１）にある雄側取付具（Ｂ）に配置される。
【００３７】
続いて、雄側取付具（Ｂ）の突起（２４）を、前後方向（Ｈ）から繊維ニット生地（Ｚａ）の表側（Ｚ１）へ押付ける。突起（２４）は、繊維ニット生地（Ｚａ）の表側（Ｚ１）への押付けに伴って、繊維ニット生地（Ｚａ）を表側（Ｚ１）から裏側（Ｚ２）に押出す。
繊維ニット生地（Ｚａ）は、突起（２４）の押出しに伴って、多角形端面（３１）、各案内傾斜端面（３２ａ）〜（３２ｆ）等を被覆しつつ、突起（２４）及び台座板（２３）に密着される［図１１（ａ）参照］。
【００３８】
図１１において、雄側取付具（Ｂ）の突起（２４）は、繊維ニット生地（Ｚａ）の裏側（Ｚ２）への押出しに伴って、多角形端面（３１）側及び各案内傾斜端面（３２ａ）〜（３２Ｆ）側から、繊維ニット生地（Ｚａ）と共に雌側本体（２）の円形挿入穴（６）内に挿入される。
更に、雄側取付具（Ｂ）及び繊維ニット生地（Ｚａ）を円形挿入穴（６）内に挿入すると、突起（２４）の各案内傾斜端面（３２ａ）〜（３２ｆ）のうち、例えば、各案内傾斜端面（３２ｂ）、（３２ｄ）、（３２ｆ）は、図１１（ａ）に示すように、繊維ニット生地（Ｚａ）を通して、弾性バネ手段（１）の各線材辺（５Ａ）〜（５Ｃ）に押付当接される。
弾性バネ手段（１）の各線材辺（５Ａ）〜（５Ｃ）は、円形挿入穴（６）内側において、繊維ニット生地（Ｚａ）を通して突起（２４）の各案内傾斜端面（３２ｂ）、（３２ｄ）、（３２ｆ）に当接する。
【００３９】
弾性バネ手段（１）の各線材辺（５Ａ）〜（５Ｃ）は、図１０（ａ）に示すように、突起（２４）及び繊維ニット生地（Ｚａ）の挿入に伴って、突起（２４）から前後方向（Ｈ）に向う押付力（ｆ）を受ける。各線材辺（５Ａ）〜（５Ｃ）は、突起（２４）から押付力を受けると、各案内傾斜端面（３２ｂ）、（３２ｄ）、（３２ｆ）によってストッパ溝手段（２２）の各溝辺底（２２ｂ）、（２２ｄ）、（２２ｆ）に向けて案内（移動）されつつ、円形挿入穴（６）の中心線（ａ）周りの一方側（反時計周り側）に回転する。
突起（２４）の各案内傾斜端面（３２ｂ）、（３２ｄ）、（３２ｆ）は、弾性バネ手段（１）の各線材辺（５Ａ）〜（５Ｃ）に当接し、前後方向（Ｈ）の押付力（ｆ）を受けると、押付力（ｆ）を回転力に変換して弾性バネ手段（１）に作用する。
このとき、弾性バネ手段（１）の各線材辺（５Ａ）〜（５Ｃ）は、図１１（ｂ）に示すように、各案内傾斜端面（３２ｂ）、（３２ｄ）、（３２ｆ）上で広がり弾性変形しつつ、各溝辺底（２２ｂ）、（２２ｄ）、（２２ｆ）に向けて案内（移動）される。
また、弾性バネ手段（１）は、各バネ規制穴（７）〜（９）内において、各角部（５ａ）〜（５ｃ）を雌側本体（１）で支持されながら一方側に回転される。
更に、弾性バネ手段（１）の各線材辺（５Ａ）〜（５Ｃ）は、前後方向（Ｈ）において、各バネ規制穴（７）〜（９）に当接して、前後方向（Ｈ）の移動が規制される［図１２（ａ）参照］。
弾性バネ手段（１）の弾性変形は、図１１（ｂ）に示すように、各線材辺（５Ａ）、（５Ｂ）を円形挿入穴（６）内及び各バネ規制穴（７）〜（９）内で広げるように弾性変位させる。また、各線材辺（５Ａ）、（５Ｂ）は、図１１（ｂ）に示すように、各バネ規制穴（７）〜（９）内において、間隔（δ）を広げつつ離間する方向に弾性変位される。
【００４０】
そして、弾性バネ手段（１）は、図１１（ｂ）に示すように、円形挿入穴（６）の中心線（ａ）周りの一方側（反時計周り側）に一定回転すると、バネ規制穴（７）〜（９）に当接する。バネ規制手段（３）の各バネ規制穴（７）〜（９）は、図１１（ｂ）に示すように、各線材辺（５Ａ）〜（５Ｃ）の当接によって、弾性バネ手段（１）の同方向（一方側）への回転を止める。
【００４１】
続いて、雄側本体（２１）の突起（２４）は、各案内傾斜端面（３２ｂ）、（３２ｄ）、（３２ｆ）及び正六角形外縁（２４Ａ）を通して、弾性バネ手段（１）の各線材辺（５Ａ）〜（５Ｃ）内に挿入される。
弾性バネ手段（１）の各線材辺（５Ａ）〜（５Ｃ）は、広がり弾性変形して、各案内傾斜端面（３２ｂ）、（３２ｄ）、（３２ｆ）から正六角形外縁（２４Ａ）に達すると、ストップ溝手段（２２）内に装着される。
このとき、弾性バネ手段（１）の各線材辺（５Ａ）〜（５Ｃ）は、図１２（ａ）に示すように、繊維ニット生地（Ｚａ）を通して、各連結傾斜面（２４ｂ）、（２４ｄ）、（２４ｆ）に当接され、各連絡傾斜面（２４ｂ）、（２４ｄ）、（２４ｆ）でストッパ溝手段（２２）内の各溝辺底（２２ｂ）、（２２ｄ）、（２２ｆ）に案内される。
このように、雄側本体（２１）の突起（２４）は、図１０（ａ）に示すように、前後方向（Ｈ）の押付力（ｆ）を受けると、各案内傾斜端面（３２ｂ）、（３２ｄ）、（３２ｆ）によって弾性バネ手段（１）を円形挿入穴（６）の中心線（ａ）周りの一方側に回転し、各線材辺（５Ａ）〜（５Ｂ）に対して捻じ込むように挿入できるので、各線材辺（５Ａ）〜（５Ｃ）に対する挿入はスムーズ・容易となる。
【００４２】
弾性バネ手段（１）は、図１２に示すように、ストッパ溝手段（２２）内への装着に伴って、縮小復元されるので、各線材辺（５Ａ）〜（５Ｃ）の弾性力（Ｆ）を持って各線材辺（５Ａ）〜（５Ｃ）及び繊維ニット生地（Ｚａ）を各溝辺底（２２ｂ）、（２２ｄ）、（２２ｆ）に付勢する。これにより、雌側取付具（Ａ）及び雄側取付具（Ｂ）は、各線材辺（５Ａ）〜（５Ｃ）及び各溝辺底（２２ｂ）、（２２ｄ）、（２２ｆ）間に繊維ニット生地（Ｚａ）を挟みこんで、アクセサリ部品（Ｃ）を下肢衣類（Ｚ）の表側（Ｚ１）に配置する。
このとき、正三角形を構成する各線材辺（５Ａ）〜（５Ｃ）は、図１２及び図１３に示すように、繊維ニット生地（Ｚａ）を通して、正六角形溝を構成する各溝辺底（２２ｂ）、（２２ｄ）、（２２ｆ）に当接される。
また、弾性バネ手段（１）の各線材辺（５Ａ）〜（５Ｃ）は、突起（２４）の各案内傾斜端面（３２ｂ）、（３２ｄ）、（３２ｆ）で各溝辺底（２２ｂ）、（２２ｄ）、（２２ｆ）に案内されるので、各線材辺（５Ａ）〜（５Ｃ）を確実に各溝辺底（２２ｂ）、（２２ｄ）、（２２ｆ）に当接できる。
【００４３】
そして、アクセサリ部品（Ｃ）は、雄側本体（２１）に固定されているので、雄側取付装置（Ｂ）に対して回転しない。
また、アクセサリ部品（Ｃ）及び雄側取付具（Ｂ）は、各線材辺（５Ａ）〜（５Ｃ）及び各溝辺底（２２ｂ）、（２２ｄ）、（２２ｆ）の当接によって、弾性バネ手段（１）に対して、円形挿入穴（６）の中心線（ａ）周りに回転しない。
更に、弾性バネ手段（１）の各線材辺（５Ａ）〜（５Ｂ）は、各バネ規制穴（７）〜（９）に当接することで、回転規制される。
これにより、アクセサリ部品（Ｃ）及び雄側取付具（Ｂ）は、雌側取付具（Ａ）に対し、角度：３６０°回転することなく、最小限の回転に規制して肢衣類（Ｚ）の表側（Ｚ１）に保持できるので、アクセサリ部品（Ｃ）の回転方向の位置［突起（２４）の軸心線（ａ）周りの位置］を一定範囲内に固定できる。これにより、アクセサリ部品（Ｃ）の形状、模様等のデザインに適応して、デザイン部品（Ｃ）を下肢衣類（Ｚ）の表側（Ｚ１）に配置でき、デザイン性を重視できる。
【００４４】
＜取外手順＞
雄側本体（２１）及びアクセサリ部品（Ｃ）は、図１２（ａ）に示すように、前後方向（Ｈ）において、雌側本体（２）から離間する方向へ引っ張る。
弾性バネ手段（１）の各線材辺（５Ａ）〜（５Ｃ）は、下肢衣類（Ｚ）の繊維ニット生地（Ｚａ）を通して、各溝辺底（２２ｂ）、（２２ｄ）、（２２ｆ）から各連結傾斜面（２４ｂ）、（２４ｄ）、（２４ｆ）に当接し、雄側本体（２）の引っ張りに伴って、広がり弾性変形しつつ、突起（２４）の各案内傾斜端面（３２ｂ）、（３２ｄ）、（３２ｆ）に至る。これにより、雄側本体（２）の突起（２４）及び線機ニット生地（Ｚａ）は、弾性バネ手段（１）の各線材辺（５Ａ）〜（５Ｃ）内から取外される。
続いて、雄側本体（２１）及びアクセサリ部品（Ｃ）は、更に、引っ張ることで、突起（２４）及び繊維ニット生地（Ｚａ）を雌側本体（２）の円形挿入穴（６）内から取外し、雄側取付具（Ｂ）及び雌側取付具（Ａ）を分離し、アクセサリ部品（Ｃ）を下肢衣類（Ｚ）の表側（Ｚ１）から取外す。
【００４５】
アクセリ類取付装置（Ｘ１）では、図１４に示すように、雄側取付具（Ｂ）を下肢衣類（Ｚ）の繊維ニット生地（Ｚａ）の裏側（Ｚａ）に配置し、雌側取付具（Ａ）を繊維ニット生地（Ｚａ）の表側（Ｚ１）に配置することもできる。なお、図１４において、図１乃至図８と同一符号は同一部材、構成である。
【００４６】
複数の取付爪（２５）、（２６）は、図１４に示すように、雄側本体（２１）に設けることなく、雌側本体（２）に設けられる。雌側本体（２）は、一軸端面（２ａ）に各取付爪（２５）、（２６）を有し、各取付爪（２５）、（２６）は上下方向（Ｕ）に間隔を隔てて配置される。アクセサリ部品（Ｃ）は、図１４に示すように、接着リング板（４６）を各取付爪（２５）、（２６）の爪部（２７）に止めることで、雌側取付具（Ａ）の雌側本体（２）に取付けられ、更に接着リング板（４６）の他端面（４６ａ）の接着剤で雌側本体（２）の一軸端面（２ａ）に接着固定される。
これにより、アクセサリ部品（Ｃ）は、下肢衣類（Ｚ）の繊維ニット生地（Ｚａ）の表側（Ｚ１）にある雌側取付具（Ａ）に配置される。
【００４７】
図１４において、アクセサリ類取付装置（Ｘ１）の取付手順、又は取外手順は、図９乃至図１１で説明したと同様であって、雄側取付具（Ｂ）の突起（２４）は、多角形端面（３１）側から下肢衣類（Ｚ）の繊維ユニット生地（Ｚａ）の裏側（Ｚａ）から押付ける。続いて、突起（２４）及び繊維ニット生地（Ｚａ）を、雌側本体（２）の円形挿入穴（６）から弾性バネ手段（１）の各線材辺（５Ａ）〜（５Ｃ）内に挿入し、更に、弾性バネ手段（１）の各線材辺（５Ａ）〜（５Ｃ）をストッパ溝手段（２２）内に装着して、各溝辺底（２２ｂ）、（２２ｄ）、（２２ｆ）に当接する。
これにより、弾性バネ手段（１）は、雌側取付具（Ａ）の弾性バネ手段（１）の各線材辺（５Ａ）〜（５Ｃ）の弾性力（Ｆ）を持って繊維ニット生地（Ｚａ）及び各線材辺（５Ａ）〜（５Ｃ）を各溝辺底（２２ｂ）、（２２ｄ）、（２２ｆ）に付勢して当接させて、各線材辺（５Ａ）〜（５Ｃ）及び各溝辺底（２２ｂ）、（２２ｄ）、（２２ｆ）間に繊維ニット生地（Ｚａ）を挟み込んで、アクセサリ部品（Ｃ）を下肢衣類（Ｚ）の表側（Ｚ１）に配置する［図１４（ｂ）参照］。
【００４８】
＜第２実施形態＞
以下、第２実施形態のアクセサリ類取付装置（Ｘ２）について、図１６乃至図２３を参照して説明する。
なお、図１６乃至図２３において、図１乃至図１５と同一符号は、同一構成及び同一部材を示すので、その詳細な説明は省略する。
【００４９】
図１６及び図２３において、第２実施形態のアクセサリ類取付装置［Ｘ２：以下、「アクセサリ類取付装置（Ｘ２）」と称する］は、人の身につける装身具（Ｑ）に取付けられ、アクセサリ部品（Ｃ）を装身具（Ｐ）に配置する。
装身具（Ｑ）は、ブレスレット、ネックレス、イアリング、ピアス、アンクレット、ヘアバンド（カチューシャ）、ヘアピン、キーホルダ、首輪、指輪、眼鏡、バッチ、ネクタイピン又はブローチ等の宝飾品等を含んでいる。なお、装身具（Ｑ）には、犬や猫等の身につける首輪等を含むことができる。
以下、装身具（Ｑ）の一例として、ブレスレット（Ｑ）にアクセサリ部品（Ｃ）を配置する場合について説明する（図２３参照）。
【００５０】
ブレスレット（Ｑ）は、図２３に示すように、例えば、ステンレスや銀等の金属で、前後方向（Ｈ）に一定厚さ（ｈ１）を有する環状帯に形成され、人の手首に装着される。ブレスレット（Ｑ）は、環状帯本体（５１）を備え、環状帯本体（５１）の両端は間隔を隔てて対峙している。
【００５１】
＜アクセサリ類取付装置（Ｘ２）＞
図１６乃至図１８において、アクセサリ類取付装置（Ｘ２）は、雌側取付具（Ａ）、雄側取付具（Ｂ）及びアクセサリ部品（Ｃ）を備えている。このアクセサリ類取付装置（Ｘ２）は、雌側取付具（Ａ）又は雄側取付具（Ｂ）の一方をブレスレット（Ｑ）に設け、雌側取付具（Ａ）又は雄側取付具（Ｂ）の他方にアクセサリ部品（Ｃ）を固定する。また、アクセサリ類取付装置（Ｘ２）は、雌側取付具（Ａ）及び雄側取付具（Ｂ）でアクセサリ部品（Ｃ）をブレスレット（Ｑ：装身具）の表側（Ｑ１）に配置する。
【００５２】
＜雌側取付具（Ａ）＞
図１７及び図１８において、雌側取付具（Ａ）は、例えば、ブレスレット（Ｑ）に設けられ、弾性バネ手段（１）、雌側本体（２）及びバネ規制手段（３）を含んで構成される。
【００５３】
弾性バネ手段（１）は、図１７及び図１８に示すように、弾性線材（５）で多角形に形成され、多角形を構成する線材辺（５Ａ）、（５Ｂ）、（５Ｃ）・・・を複数有する。弾性バネ手段（１）は、例えば、複数の線材辺（５Ａ）〜（５Ｃ）で三角形に形成される。
【００５４】
雌側本体（２）は、図１７及び図１８に示すように、環状帯本体（５１）の一部を構成して、環状帯本体（５１）に一体化されている。環状帯本体（５１）の一部を構成する雌側本体［（２）：以下「雌側本体（２）」と称する］は、円形挿入穴（６）を有している。円形挿入穴（６）は、前後方向（Ｈ）において、ブレスレット（Ｑ）の表側（Ｑ１）及び裏側（Ｑ２）に開口して、環状帯本体（５１）である雌側本体（２）内を貫通している。
雌側本体（２）は、図１８に示すように、弾性バネ手段（１）を内に収納し、各線材辺（５Ａ）〜（５Ｂ）を前後方向（Ｈ）の中央に配置する。
雌側本体（２）は、図１８に示すように、各線材辺（５Ａ）〜（５Ｃ）の各角部（５ａ）〜（５ｃ）を夫々支持（三点支持）し、各線材辺（５Ａ）〜（５Ｃ）を円形挿入穴（６）の中心線（ａ）周りに位置する。また、雌側本体（２）は、弾性バネ手段（１）の各線材辺（５Ａ）〜（５Ｃ）の一部を円形挿入穴（６）内側に配置する。
【００５５】
バネ規制手段（３）は、図１８に示すように、弾性バネ手段（１）の各線材辺（５Ａ）〜（５Ｃ）の広がり弾性変形を許容しつつ、円形挿入穴（６）の中心線（ａ）周りでの弾性バネ手段（１）の回転を規制する。
バネ規制手段（３）は、複数のバネ規制穴（７）、（８）、（９）で構成され、各バネ規制穴（７）〜（９）は、雌側本体（２）である環状帯本体（５１）内に形成される。
各バネ規制穴（７）〜（９）は、第１実施形態のアクセサリ類取付装置（Ｘ１）と同様な構成（図３参照）にして雌側本体（２）内に形成され、各線材辺（５Ａ）〜（５Ｃ）の各角部（５ａ）〜（５ｃ）を夫々収納し、雌側本体（２）である環状帯本体（５１）で支持する。
【００５６】
＜雄側取付具（Ｂ）＞
図１６において、雄側取付具（Ｂ）は、第１実施形態のアクセサリ類取付装置（Ｘ１）と同様にして、雄側本体（２１）及びストッパ溝手段（２２）を含んで構成される（図４乃至図６参照）。
【００５７】
雄側本体（２１）は、台座（２３）、突起（２４）及び複数の取付爪（２５）、（２６）を備えている。
突起（２４）は、多角形外縁に形成され、例えば、複数の外縁辺で正六角形外縁（２４Ａ）に形成する。突起（２４）は、多角形端面（２４）、複数の案内傾斜端面（３２ａ）〜（３２ｆ）及び複数の連絡傾斜面（２４ａ）〜（２４ｆ）を有している。
多角形端面（２４）及び各案内傾斜端面（３２ａ）〜（３２ｆ）は、第１実施形態のアクセサリ類取付装置（Ｘ１）を同様な構成として、突起（２４）の軸端に配置される（図４及び図５参照）。また、各連絡傾斜面（２４ａ）〜（２４ｆ）は、第１実施形態のアクセサリ類取付装置（Ｘ１）と同様な構成として、正六角形外縁（２４Ａ）及び各溝辺底（２２ａ）〜（２２ｆ）に連続し、突起（２４）外周を形成する（図４乃至図６参照）。
【００５８】
ストッパ溝手段（２２）は、図１６に示すように、突起（２４）外周に開口形成され、弾性バネ手段（１）を取外自在に装着する。
ストッパ溝手段（２２）は、突起（２４）の多角形外縁［正六角形外縁（２４Ａ）］に対して、縮小相似する多角形溝に形成され、弾性バネ手段（１）の各線材辺（５Ａ）〜（５Ｃ）に当接する複数の溝辺底を有する。ストッパ溝手段（２２）は、例えば、複数の溝辺底（２２ａ）〜（２２ｆ）で正六角形溝に形成される。
このストッパ溝手段（２２）の多角形溝において、前後方向（Ｈ）の溝幅、及び上下方向（Ｕ）の溝深さは、各線材辺（５Ａ）〜（５Ｃ）を装着できる寸法に設定する。
なお、ストッパ溝手段（２２）は、第１実施形態のアクセサリ類取付装置（Ｘ１）と同様な構成として、正六角形溝に形成される（図４乃至図６参照）。
【００５９】
＜アクセサリ部品（Ｃ）＞
図１６において、アクセサリ部品（Ｃ）は、雌側取付具（Ａ）又は雄側取付具（Ｂ）の一方に固定され、例えば、接着リング板（４６）で雄側取付具（Ｂ）に固定される。
なお、アクセサリ部品（Ｃ）は、第１実施形態のアクセサリ取付装置（Ｘ１）と同様な構成として、雄側本体（２１）に接着固定される（図７乃至図９参照）。
【００６０】
次に、アクセサリ類取付装置（Ｘ２）の取付手順、及び取外手順について、図１９乃至図２２を参照して説明する。
【００６１】
＜取付手順＞
図１９において、雄側取付具（Ｂ）は、雄側本体（２１）にアクセサリ部品（Ｃ）を固定している。
雄側取付具（Ｂ）は、ブレスレット（Ｑ）の雌側取付具（Ｂ）の円形挿入穴（６）に対峙され、多角形端面（３１）及び各案内傾斜端面（２４ａ）〜（２４ｆ）を環状帯本体（５１）である雌側本体（２）に向けて配置する。
このとき、雄側本体（２）の突起（２４）は、軸心線（ｂ）を円形挿入穴（６）の中心線（ａ）に一致させる。
【００６２】
続いて、雄側取付具（Ｂ）の突起（２４）は、前後方向（Ｈ）から円形挿入穴（６）内に挿入される。
突起（２４）の各案内傾斜面（３２ａ）〜（３２ｆ）のうち、例えば、各案内傾斜面（３２ｂ）、（３２ｄ）、（３２ｆ）は、図１９（ｂ）に示すように、弾性バネ手段（１）の各線材辺（５Ａ）〜（５Ｃ）に押付当接される。
弾性バネ手段（１）の各線材辺（５Ａ）〜（５Ｃ）は、円形挿入穴（６）内側において、突起（２４）の各案内傾斜端面（３２ｂ）、（３２ｄ）、（３２ｆ）に当接する。
【００６３】
弾性バネ手段（１）の各線材辺（５Ａ）〜（５Ｃ）は、図１９（ａ）に示すように、突起（２４）の挿入に伴って、突起（２４）から前後方向（Ｈ）に向う押付力（Ｆ）を受ける。各線材辺（５Ａ）〜（５Ｃ）は、図１９（ｂ）に示すように、突起（２４）から押付力を受けると、各案内傾斜端面（３２ｂ）、（３２ｄ）、（３２ｆ）によってストッパ溝手段（２２）の各溝辺底（２２ｂ）、（２２ｄ）、（２２ｆ）に向けて案内（移動）されつつ、円形挿入穴（６）の中心線（ａ）周りの一方側（反時計周り側）に回転する。
突起（２４）の各案内傾斜端面（３２ｂ）、（３２ｄ）、（３２ｆ）は、弾性バネ手段（１）の各線材辺（５Ａ）〜（５Ｃ）に当接し、前後方向（Ｈ）の押付力（ｆ）を受けると、押付力（ｆ）を回転力に変換して弾性バネ手段（１）に作用する。
このとき、弾性バネ手段（１）の各線材辺（５Ａ）〜（５Ｃ）は、図２０に示すように、各案内傾斜端面（３２ｂ）、（３２ｄ）、（３２ｆ）上で広がり弾性変形しつつ、各溝辺底（２２ｂ）、（２２ｄ）、（２２ｆ）に向けて案内（移動）される。
また、弾性バネ手段（１）は、各バネ規制穴（７）〜（９）内において、各角部（５ａ）〜（５ｃ）を環状帯本体（５１）である雌側本体（２）で支持されながら一方側に回転される。
更に、弾性バネ手段（１）の各線材辺（５Ａ）〜（５Ｃ）は、前後方向（Ｈ）において、各バネ規制穴（７）〜（９）に当接して、前後方向（Ｈ）の移動が規制される［図１９（ａ）参照］。
【００６４】
そして、弾性バネ手段（１）は、図２０に示すように、円形挿入穴（６）の中心線（ａ）周りの一方側（反時計周り側）に一定回転すると、バネ規制穴（７）〜（９）に当接する。バネ規制手段（３）の各バネ規制穴（７）〜（９）は、図２０に示すように、各線材辺（５Ａ）〜（５Ｃ）の当接によって、弾性バネ手段（１）の同方向（一方側）への回転を止める。
【００６５】
続いて、雄側本体（２１）の突起（２４）は、各案内傾斜端面（３２ｂ）、（３２ｄ）、（３２ｆ）及び正六角形外縁（２４）を通して、弾性バネ手段（１）の各線材辺（５Ａ）〜（５Ｃ）内に挿入される。
弾性バネ手段（１）の各線材辺（５Ａ）〜（５Ｃ）は、広がり弾性変形して、各案内傾斜端面（３２ｂ）、（３２ｄ）、（３２ｆ）から正六角形外縁（２４）に達すると、ストッパ溝手段（１）内に装着される。
このとき、弾性バネ手段（１）の各線材辺（５Ａ）〜（５Ｃ）は、図２１（ａ）に示すように、各連結傾斜面（２４ｂ）、（２４ｄ）、（２４ｆ）でストッパ溝手段（２２）内の各溝辺底（２２ｂ）、（２２ｄ）、（２２ｆ）に案内される。
このように、雄側本体（２１）の突起（２４）は、図２０に示すように、前後方向（Ｈ）の押付力（ｆ）を受けると、各案内傾斜端面（３２ｂ）、（３２ｄ）、（３２ｆ）によって弾性バネ手段（１）を円形挿入穴（６）の中心線（ａ）周りの一方側に回転し、各線材辺（５Ａ）〜（５Ｃ）に対して捻じ込むように挿入できるので、各線材辺（５Ａ）〜（５Ｃ）に対する挿入はスムーズ・容易となる。
【００６６】
弾性バネ手段（１）は、図２１及び図２２に示すように、ストッパ溝手段（２２）内への装着に伴って、縮小復元されるので、各線材辺（５Ａ）〜（５Ｃ）の弾性力（Ｆ）を持って各線材辺（５Ａ）〜（５Ｃ）を各溝辺底（２２ｂ）、（２２ｄ）、（２２ｆ）に付勢する。これにより、雌側取付具（Ａ）及び雄側取付具（Ｂ）は、装身具であるブレスレット（Ｑ）の表側（Ｑ１）にアクセサリ部品（Ｃ）を配置する（図２３参照）。
このとき、正三角形を構成する各線材辺（５Ａ）〜（５Ｃ）は、図２２に示すように、正六角形溝を構成する各溝辺底（２２ｂ）、（２２ｄ）、（２２ｆ）に当接される。
また、弾性バネ手段（１）の各線材辺（５Ａ）〜（５Ｃ）は、突起（２４）の各案内傾斜端面（３２ｂ）、（３２ｄ）、（３２ｆ）で各溝辺底（２２ｂ）、（２２ｄ）、（２２ｆ）に案内されるので、各線材辺（５Ａ）〜（５Ｃ）を確実に各溝辺底（２２ｂ）、（２２ｄ）、（２２ｆ）に当接できる。
【００６７】
そして、アクセサリ部品（Ｃ）は、雄側本体（２１）に固定されているので、雄側取付具（Ｂ）に対して回転しない。
また、アクセサリ部品（Ｃ）及び雄側取付具（Ｂ）は、各線材辺（５Ａ）〜（５Ｃ）及び各溝辺底（２２ｂ）、（２２ｄ）、（２２ｆ）の当接によって、弾性バネ手段（１）に対して、円形挿入穴（６）の中心線（ａ）周りに回転しない。
更に、弾性バネ手段（１）の各線材辺（５Ａ）〜（５Ｃ）は、各バネ規制穴（７）〜（９）に当接するとことで、回転規制される。
これにより、アクセサリ部品（Ｃ）及び雄側取付具（Ｂ）は、環状帯本体（５１）の一部である雌側本体（２）に対し、角度：３６０°回転することなく、最小限の回転に規制して装身具であるブレスレット（Ｐ）に保持できるので、アクセサリ部品（Ｃ）の回転方向の位置［突起（２４）の軸心線（ａ）周りの位置］を一定範囲に固定できる。これにより、アクセサリ部品（Ｃ）の形状、模様等のデザインに適応して、デザイン部品（Ｃ）を装身具（Ｑ）の表側（Ｑ１）に配置でき、デザイン性を重視できる。
【００６８】
＜取外手順＞
雄側本体（２１）及びアクセサリ部品（Ｃ）は、図２１に示すように、前後方向（Ｈ）において、環状帯本体（５１）である雌側本体（２）から離間する方向へ引っ張る。
弾性バネ手段（１）の各線材辺（５Ａ）〜（５Ｃ）は、ストッパ溝手段（２２）の各溝辺底（２２ｂ）、（２２ｄ）、（２２ｆ）から各連絡傾斜溝（２４ｂ）、（２４ｄ）、（２４ｆ）に当接し、雄側本体（２１）の引っ張りに伴って、広がり弾性変形しつつ、突起（２４）の各案内傾斜端面（３２ｂ）、（３２ｄ）、（３２ｆ）に至る。これにより、雄側本体（２１）の突起（２４）は、弾性バネ手段（１）の各線材辺（５Ａ）〜（５Ｃ）内から取外される。
続いて、雄側本体（２１）及びアクセサリ部品（Ｃ）は、更に、引っ張ることで、突起（２４）を雌側本体（２）の円形挿入穴（６）内から取外し、雄側取付具（Ｂ）をブレスレット（Ｑ）の雌側取付具（Ｂ）から分離し、アクセサリ部品（Ｃ）をブレスレット（Ｑ）から取外す。
【００６９】
アクセサリ類取付装置（Ｘ２）では、雌側取付具（２）を装身具であるブレスレット（Ｑ）に設けた場合について説明したが、これに限定されるものでなく、雄側取付具（Ｂ）を装身具に設ける構成も採用できる。
雄側取付具（Ｂ）の突起（２４）は、例えば、ブレスレット（Ｑ）の表側（Ｑ１）において、環状帯本体（５１）に突出するように設ける。また、アクセサリ部品（Ｃ）は、雌側取付具（Ａ）の雌側本体（２）に固定する。アクセサリ部品（Ｃ）は、第１実施形態のアクセサリ類取付装置（Ｘ１）と同様な構成として、図１４に示すように、各取付爪（２５）、（２６）及び接着剤で雌側本体（２）に接着固定する。
【００７０】
アクセサリ類取付装置（Ｘ２）において、雌側取付具（Ａ）の雌側本体（２）は、装身具であるブレスレット（Ｑ）の環状帯本体（５１）の一部を構成し、環状帯本体（５１）に一体化しているが、これに限定されない。例えば、雌側本体（２）を装身具と別体に用意し、雌側本体（２）を装身具に設ける構成も採用できる。
【００７１】
アクセサリ類取付装置（Ｘ１）、（Ｘ２）において、図１２（ａ）及び図２１（ａ）に示すように、弾性バネ手段（１）の各線材辺（５Ａ）〜（５Ｃ）をストッパ溝手段（２２）の各溝辺底（２２ｂ）、（２２ｄ）、（２２ｆ）に当接させた後、雄側本体（１）の突起（２４）は、前後方向（Ｈ）において、雌側本体（２）内から突出する構成である。この構成に加えて、雌側本体（２）の厚さ（ｈ）、又は環状帯本体（５１）である雌側本体（２）の厚さ（ｈ１）を厚くする、又は突起（２４）を低くすることで、突起（２４）を雌側本体（２）から突出することなく、円形挿入穴（６）内に収納する構成も採用できる。
【００７２】
アクセサリ取付装置（Ｘ１）、（Ｘ２）では、弾性バネ手段（１）を正三角形とし、ストッパ溝手段（２２）を正六角形溝にするもの限定されない。
弾性バネ手段（１）の線材辺数：ＰＳとし、ＰＳ＝３×ｎ（ｎ＝１，２，３，４）とすることもできる。具体的には、弾性バネ手段（１）は、正三角形、正六角形、正九角形及び正十二角形とする。弾性バネ手段（１）は、複数の線材辺で正六角形、正九角形及び正十二角形を形成する。そして、バネ規制手段（３）のバネ規制穴の数は、弾性バネ手段（１）の正六角形、正九角形又は正十二角形を構成する各線材の角部数に対応して、雌側本体（２）内に形成される。例えば、弾性バネ手段（１）を正六角形にすると、ストッパ規制手段（３）のストッパ規制穴数は６穴であり、各ストッパ規制穴は円形挿入穴（６）の中心線（ａ）周りに配置して、弾性バネ手段（１）の各角部（６角部）を夫々収納し、雌側本体（２）で支持する。
また、ストッパ溝手段（２２）は、弾性バネ手段（１）の多角形（正六角形、正九角形、正十二角形）に対応して多角形溝の溝辺底数を設定する。このとき、ストッパ溝手段（２２）の溝辺底数：ＧＳとし、ＧＳ＝ＰＳ×２にする。具体的には、ストッパ溝手段（２２）は、正六角形溝、正十二角形溝、正十八角形溝、正二十四角形溝とする。例えば、弾性バネ手段（１）を正六角形（六の線材辺）にすると、ストッパ溝手段（２２）は正十二角形溝（十二の溝辺底）に形成する。
これにより、弾性バネ手段（１）は、ストッパ溝手段（２２）内に装着すると、確実に、各線材辺を溝辺底に当接でき、弾性バネ手段（１）に対し、雄側取付具（Ｂ）の回転を止めることが可能となる。
更に、突起（２４）の多角形外縁（２４Ａ）、及び多角形端面（３１）は、ストッパ溝手段（２２）の多角形溝に応じて、縮小相似する正十二角形、正十八角形、正二十四角形とする。
【産業上の利用可能性】
【００７３】
本考案は、アクセサリ部品を衣類の表側又は装身具に配置するのに好適である。
【符号の説明】
【００７４】
Ａ  雌側取付具
Ｂ  雄側取付具
Ｃ  アクセサリ部品
Ｐ  装身具（ブレスレット）
Ｘ１、Ｘ２  アクセサリ類取付装置
Ｙ  下肢
Ｚ  下肢衣類
Ｚａ  伸縮性生地
Ｚ１  表側
Ｚ２  裏側
１  弾性バネ手段
２  雌側本体
３  バネ規制手段
２１  雄側本体
２２  ストッパ溝手段
２４  突起
【図１】
0003173961.tif 000003
【図２】
0003173961.tif 000004
【図３】
0003173961.tif 000005
【図４】
0003173961.tif 000006
【図５】
0003173961.tif 000007
【図６】
0003173961.tif 000008
【図７】
0003173961.tif 000009
【図８】
0003173961.tif 000010
【図９】
0003173961.tif 000011
【図１０】
0003173961.tif 000012
【図１１】
0003173961.tif 000013
【図１２】
0003173961.tif 000014
【図１３】
0003173961.tif 000015
【図１４】
0003173961.tif 000016
【図１５】
0003173961.tif 000017
【図１６】
0003173961.tif 000018
【図１７】
0003173961.tif 000019
【図１８】
0003173961.tif 000020
【図１９】
0003173961.tif 000021
【図２０】
0003173961.tif 000022
【図２１】
0003173961.tif 000023
【図２２】
0003173961.tif 000024
【図２３】
0003173961.tif 000025